(57)【要約】【課題】一本脚テーブルの安定性を高める技術を提供する。【解決手段】天板１１を支持する天板１２載置部と、天板載置部１２から下方に延びる一本の脚１４と、床面に設置され脚１４を支持する脚支持部１５と、を備えた一本脚テーブル１に用いるテーブル用敷物２は、中央部２ａと、周縁部２ｂと、を備え、中央部２ａに孔２１を備え、孔２１は、脚１４または脚１４と脚支持部１５との接続部材１５ａを挿通可能、かつ、脚支持部１５を挿通不能な大きさに形成され、中央部２ａおよび周縁部２ｂは、少なくとも第１材と第１材よりも高密度の第２材とを含んで構成され、第１材に対する第２材の構成比率は、中央部２ａよりも周縁部２ｂの方が大きく、周縁部２ｂは中央部２ａよりも重く構成されている。【選択図】図７
2017093812.tif 000002
【特許請求の範囲】
【請求項１】
天板を支持する天板載置部と、当該天板載置部から下方に延びる一本の脚と、床面に設置され当該脚を支持する脚支持部と、を備えた一本脚テーブルに用いるテーブル用敷物であって、
中央部と、周縁部と、を備え、
前記中央部に孔を備え、
前記孔は、前記脚または前記脚と前記脚支持部との接続部材を挿通可能、かつ、前記脚支持部を挿通不能な大きさに形成され、
前記中央部および前記周縁部は、少なくとも第１材と当該第１材よりも高密度の第２材とを含んで構成され、
前記第１材に対する前記第２材の構成比率は、前記中央部よりも前記周縁部の方が大きく、
前記周縁部は前記中央部よりも重く構成されているテーブル用敷物。
【請求項２】
天板を支持する天板載置部と、当該天板載置部から下方に延びる一本の脚と、床面に設置され当該脚を支持する脚支持部と、を備えた一本脚テーブルに用いるテーブル用敷物であって、
中央部と、周縁部と、を備え、
前記中央部に孔を備え、
前記孔は、前記脚または前記脚と前記脚支持部との接続部材を挿通可能、かつ、前記脚支持部を挿通不能な大きさに形成され、
前記中央部は、第１材を含んで構成され、
前記周縁部は、前記第１材よりも高密度の第２材を含んで構成され、
前記周縁部は前記中央部よりも重く構成されているテーブル用敷物。
【請求項３】
前記周縁部は、少なくとも、第１積層部と、当該第１積層部の下方に配置され、前記第２材を含んで構成される第２積層部と、を備え、
前記第２積層部は、前記第１積層部よりも重く構成されている請求項１または２記載のテーブル用敷物。
【請求項４】
前記周縁部の面積は前記中央部の面積よりも大きく構成されている請求項１から３のいずれか一項に記載のテーブル用敷物。
【発明の詳細な説明】
【技術分野】
【０００１】
本発明は、テーブル用敷物、特に、一本の脚を有するこたつ等のテーブル用の敷物に関する。
【背景技術】
【０００２】
従来のこたつは、天板と、天板を載置する天板載置部と、天板載置部を支持する４本の脚と、を備えたものが一般的である。このようなこたつでは、通常は、人は脚と脚との間に座り、足をこたつの内部に差し入れる。人数が多い場合には、脚の付近に座る必要性が生じるが、その場合には、そこに座る人は脚が邪魔になり不便を強いられることとなる。
【０００３】
このような問題を解決するために、一本の脚を天板載置部の中央部から垂下し、脚の下端を脚支持部（底板）に支持させたこたつ（以下、一本脚こたつと称する）が提案されている（例えば、特許文献１，２）。
【０００４】
このような一本脚こたつでは、いずれの場所に座っても脚が邪魔になることはなく、上述の問題は解決することができる。しかしながら、このような構成の一本脚こたつでは、脚支持部の上に着座することとなり、底板の硬さや冷たさで、座り心地が低下するおそれがある。
【０００５】
この問題を解決するために、特許文献１，２では、脚（支柱３）が挿通する孔を形成したこたつ敷を用いている。このこたつ敷を用いれば、こたつ敷が脚支持部（脚部４）を覆うため、座り心地の低下を抑制することができる。
【先行技術文献】
【特許文献】
【０００６】
【特許文献１】特開平４−２０３８０９号公報
【特許文献２】実開昭５７−１２８０４６号
【発明の概要】
【発明が解決しようとする課題】
【０００７】
上述のような一本脚こたつでは、従来の四本脚こたつと比べて安定性が低下するという問題が生じる。しかしながら、特許文献１，２では、一本脚こたつの安定性の向上に関しては何ら言及されていない。なお、特許文献１，２に開示されているようなこたつ敷を用いれば、一本脚こたつの安定性の向上は期待できるものの、これらのこたつ敷は一本脚こたつの安定性向上を企図したものでないため、安定性の向上は十分とは言い難い。
【０００８】
本発明は上記課題に鑑みてなされたものであり、その目的は、一本脚こたつのような一本脚テーブルの安定性を高める技術を提供することにある。
【課題を解決するための手段】
【０００９】
上記課題を解決するための、天板を支持する天板載置部と、当該天板載置部から下方に延びる一本の脚と、床面に設置され当該脚を支持する脚支持部と、を備えた一本脚テーブルに用いるテーブル用敷物の好適な実施形態の一つでは、中央部と、周縁部と、を備え、前記中央部に孔を備え、前記孔は、前記脚または前記脚と前記脚支持部との接続部材を挿通可能、かつ、前記脚支持部を挿通不能な大きさに形成され、前記中央部および前記周縁部は、少なくとも第１材と当該第１材よりも高密度の第２材とを含んで構成され、前記第１材に対する前記第２材の構成比率は、前記中央部よりも前記周縁部の方が大きく、前記周縁部は前記中央部よりも重く構成されている
【００１０】
上記課題を解決するための、天板を支持する天板載置部と、当該天板載置部から下方に延びる一本の脚と、床面に設置され当該脚を支持する脚支持部と、を備えた一本脚テーブルに用いるテーブル用敷物の他の好適な実施形態の一つでは、中央部と、周縁部と、を備え、前記中央部に孔を備え、前記孔は、前記脚または前記脚と前記脚支持部との接続部材を挿通可能、かつ、前記脚支持部を挿通不能な大きさに形成され、前記中央部は、第１材を含んで構成され、前記周縁部は、前記第１材よりも高密度の第２材を含んで構成され、前記周縁部は前記中央部よりも重く構成されている。
【００１１】
これらの構成では、特許文献１，２と同様に、脚支持部の上にテーブル用敷物を載せることができ、テーブル用敷物が一本脚テーブルに対する重しとなり、一本脚テーブルの安定性を向上させることができる。その上、テーブル用敷物の周縁部が中央部より重く構成されているため、例えば、中央部が周縁部よりも高くなるように配置された場合や、一本脚テーブルが倒れかけた場合には、周縁部が重く構成されているために、やじろべえと同様の力学モデルにより、周縁部が中央部を引っ張る力が作用する。この力は一本脚テーブルの脚支持部に対して接地面方向に作用するため、一本脚テーブルの安定性が向上する。
【００１２】
また、上記テーブル用敷物の好適な実施形態の一つでは、前記周縁部は、少なくとも、第１積層部と、当該第１積層部の下方に配置され、前記第２材を含んで構成される第２積層部と、を備え、前記第２積層部は、前記第１積層部よりも重く構成されている。
【００１３】
この構成では、上記力学モデルにおける重心をより下方に位置させることができ、より安定性を向上させることができる。
【００１４】
また、上記テーブル用敷物の好適な実施形態の一つでは、前記周縁部の面積は前記中央部の面積よりも大きく構成されている。
【図面の簡単な説明】
【００１５】
【図１】一本脚こたつの斜視図である。
【図２】敷物の斜視図である。
【図３】設置状態における一本脚こたつと敷物の斜視図である。
【図４】敷物の断面図である。
【図５】敷物の断面図である。
【図６】敷物の断面図である。
【図７】敷物の断面図である。
【図８】敷物の断面図である。
【図９】敷物の断面図である。
【図１０】敷物の斜視図である。
【発明を実施するための形態】
【００１６】
以下に図面を用いて、本発明に係るテーブル用敷物の実施形態を説明する。図１は、本発明のテーブル用敷物の使用対象となる一本脚テーブルとしての一本脚こたつ（以下、こたつと略称する）の斜視図である。図に示すように、本実施形態のこたつ１は、天板１１と、天板載置部１２と、ヒーター１３と、一本の脚１４と、脚支持部１５と、を備えている。
【００１７】
天板１１は、平面視形状円形の板状に構成されている。天板載置部１２は、天板１１が載置される部材であり、本実施形態では、天板１１と略同径の外枠１２ａと、外枠１２ａの中心から放射状に延びて外枠１２ａに接続される補強部材１２ｂと、から構成されている。天板載置部１２を板状でなく、このように構成することにより、こたつ１の上部の重量が軽減され、重心を下方に位置させることができる。この天板載置部１２の下面にはヒーター１３が取り付けられている。本実施形態では、ヒーター１３は、ドーナツ状の平面ヒーターで構成されている。
【００１８】
上述したように、このこたつ１の脚１４は一本のみであり、その上端は天板載置部１２の下面中心（平面視形状の重心付近）に接続され、その下端は脚支持部１５の上面中心（平面視形状の重心付近）に接続されている。本実施形態では、脚支持部１５は、平面視円形の板状に構成されている。本実施形態では、脚支持部１５の径は天板１１の径よりも小さく構成されており、人が着座した際に脚支持部１５の上に乗りにくくなっている。なお、脚支持部１５は板状に限定されるものではなく、他の形状でも構わない。また、本実施形態では、脚支持部１５は脚１４に対して脱着可能に構成されている。
【００１９】
図２は、本実施形態におけるテーブル用敷物としてのこたつ用敷物（以下、敷物と略称する）の斜視図である。図に示すように、敷物２は、厚みのある略方形に構成されており、中央部２ａに上下に貫通する平面視形状が円形の孔２１が形成されている。なお、中央部なる語は、幾何学的な中心位置や重心位置を意味するものではなく、周縁部２ｂを除く内側を意味するものである。また、孔２１の平面視形状は適宜変更可能である。
【００２０】
次に、図３を用いて敷物２の設置状態を説明する。図３は、こたつ１の設置状態（設置過程）を示す斜視図である。
【００２１】
こたつ１を設置する際には、先ず、床面に脚支持部１５を配置する。この脚支持部１５の上面中央には接続部材としての接続ピン１５ａが立設されている。次に、この脚支持部１５の上に敷物２を被せる。このとき、敷物２の孔２１から接続ピン１５ａが出るようにしておく。
【００２２】
一方、脚１４の下面には接続ピン１５ａに適合する形状の接続孔１４ａが形成されており、接続ピン１５ａを接続孔１４ａに挿入することで、脚１４と脚支持部１５とを接続する。なお、接続ピン１５ａと接続孔１４ａとは、ダボとダボ穴とで構成しても良いし、ネジとネジ穴とで構成しても構わない。
【００２３】
本実施形態では、孔２１の径は脚１４と略同径となっている。そのため、孔２１に対して、脚１４を挿通することはできるが、脚支持部１５を挿通することはできない。これにより、敷物２は脚支持部１５に対する重しとなり、こたつ１の安定性を向上させることができる。
【００２４】
また、敷物２は中央部２ａよりも周縁部２ｂの方が重く構成されている。なお、「重さ」とは、単位量、例えば単位面積、当たりの重量や総重量である。敷物２をこのように構成することにより、脚支持部１５の厚みが大きく、中央部２ａが上方に持ち上げられる場合や、こたつ１が倒れかけた場合等の周縁部２ｂよりも中央部２ａの方が上方に位置する場合には、支点が重心よりも上方となる。このとき、周縁部２ｂの力（重み）が敷物２を安定する方向、すなわち、中央部２ａを設置面側に移動させる方向に作用する。すなわち、やじろべえと同様の力学モデルによって、敷物２が安定するよう作用する。より具体的には、周縁部２ｂの重量がやじろべえの腕先のおもりに相当し、中央部２ａの重量がやじろべえの支点が含まれるおもりに相当する。周縁部２ｂは中央部２ａよりも重く構成されているため、上述したように支点が設置面よりも上方に位置する場合には、重心は支点よりも下方に位置する。そのため、敷物２には安定する方向、すなわち、設置面に接する方向に力が作用する。この力によって、脚支持部１５が設置面側に押し付けられるため、こたつ１の安定性を向上させることができる。
【００２５】
なお、本実施形態では、中央部２ａは敷物２の形状を約１／２に縮小した形状となっている。そのため、周縁部２ｂの面積は中央部２ａの面積よりも大きくなっている。
【実施例１】
【００２６】
図４は、図２のＩＶ−ＩＶ断面図である。図に示すように、本実施例では、中央部２ａと周縁部２ｂとは密度の異なる材料を含んで構成されている。具体的には、周縁部２ｂに含まれる材料（以下、第２材と称する）の密度は中央部２ａに含まれる材料（以下、第１材と称する）の密度よりも大きくなっている。なお、中央部２ａが積層構造となっている等、複数の材料で構成されている場合には、第１材とは中央部を構成する材料のうち最も密度の大きな材料を言う。
【実施例２】
【００２７】
図５は、図２のＶ−Ｖ断面図である。図に示すように、本実施例では、中央部２ａは実施例１と同様に第１材を含んで構成されており、１層構造となっているが、周縁部２ｂは第１積層部２２とその下方に位置する第２積層部２３とからなる２層構造となっている。第１積層部２２は、綿等の比較的柔らかな材料で構成すれば、座り心地を良くすることができる。一方、第２積層部２３は、第１材および第１積層部を構成する材料よりも高密度の材料（第２材）を用いて構成されている。このように構成することにより、上述した力学モデルの重心をより下げることができ、より安定性を向上させることができる。また、第２材として断熱性を有する材料を用いれば、設置面の温度が着座している人に伝わりにくくなるため、好ましい。なお、第１積層部２２は第１材または第１材と同等の密度の材料を用いても構わない。
【００２８】
また、図５の構成において、中央部２ａを第１材および第２材よりも低密度の第３材で構成することもできる。このとき、第３材は、第１材および第２材とは異なる物質から構成しても良いし、第１材または第２材と同じ物質であり、使用される形態での密度が異なるように形成されたものを用いることができる。
【００２９】
また、第２積層部２３の層構造をさらに多層とすることもできる。図６は、図２のＶＩ−ＶＩ断面図である。図に示すように、本実施例では、周縁部２ｂは３層構造となっており、具体的には、図５の構成の第２積層部２３の下方に第３積層部２４を配置した構成となっている。
【００３０】
このとき、第３積層部２４は、第１積層部２２と同じ材料で構成してもよいし、異なる材料で構成しても構わない。また、周縁部２ｂを３層よりも多層構造としても構わない。
【実施例３】
【００３１】
図７は、図２のＶＩＩ−ＶＩＩ断面図である。本実施例では、図に示すように、全体的に第１積層部２２と第２積層部２３との２層構造となっている。すなわち、本実施例では、中央部２ａおよび周縁部２ｂはともに第１積層部２２と第２積層部２３とから構成されている。なお、第１積層部２２は第１材を含んで構成され、第２積層部２３は第２材を含んで構成されている。図から明らかなように、本実施例では、第１積層部２２の厚みは中央部２ａと周縁部２ｂとで異なっており、第２積層部２３の厚みも中央部２ａと周縁部２ｂとでは異なっている。具体的には、第１積層部２２は周縁部２ｂよりも中央部２ａの方が厚く、第２積層部２３は周縁部２ｂよりも中央部２ａの方が薄くなっている。したがって、第１材に対する第２材の構成比率は、中央部２ａよりも周縁部２ｂの方が大きくなっている。また、より具体的には、第１積層部２２は周縁部２ｂの下面側に肉薄部を形成し、第２積層部２３は中央部２ａの上面側に肉薄部を形成している。このように構成することにより、互いの肉厚部と肉薄部とが対面することとなり、敷物２全体の厚みを均一とすることができる。
【００３２】
本実施例の変形例として、中央部２ａおよび周縁部２ｂにおける第１積層部２２の厚みを均一とすることができる。このとき、中央部２ａの第２積層部２３と周縁部２ｂの第２積層部との相対上下位置は適宜変更可能である。
【実施例４】
【００３３】
図８は、図２のＶＩＩＩ−ＶＩＩＩ断面図である。本実施例では、図に示すように、中央部２ａは第１積層部２２のみから構成され、周縁部２ｂは第１積層部２２および第２積層部２３から構成されている。本実施例も実施例３と同様に、第１積層部２２は第１材を含んで構成され、第２積層部２３は第２材を含んで構成されている。そのため、中央部２ａよりも周縁部２ｂの方が重く構成されている。
【実施例５】
【００３４】
図９は、図２のＩＸ−ＩＸ断面図である。本実施例の敷物２は、図に示すように、第１積層部２２，第２積層部２３および第３積層部２４からなる３層構造に構成されている。第１積層部２２および第３積層部２４は、いずれも均一な材で構成されている。一方、第２積層部２３は、中央部２ａは第１材を含んで構成され、周縁部２ｂは第２材を含んで構成されている。このとき、第１材と第２材とは異なる物質を用いても、同じ物質で、使用状態における密度が異なるように形成されたもので構成することもできる。後者の場合には、中央部２ａが周縁部２ｂよりも低密度となっているため、敷物２を脚支持部１５上に載せた際に、第２積層部２３の周縁部２ｂよりも中央部２ａの方が変形しやすくなっている。また、第２積層部２３の中央部２ａを周縁部２ｂよりも薄肉に構成しても構わない。
【実施例６】
【００３５】
図１０は、本実施例における敷物２の斜視図である。本実施例における敷物２は、少なくとも中央部２ａは層構造に構成されており、図に示すように、孔２１の周縁を分断する分断線２５が形成されている。具体的には、４本の分断線２５が、孔２１の周縁から、孔２１の周縁と敷物２の周縁との中間位置まで形成されている。このような分断線２５が形成された敷物２をこたつ１に使用する場合には、先ず敷物２を床面に設置し、分断線２５で分断された敷物２の部分を持ち上げ、そこにできた隙間から脚支持部１５を滑りこませる。これにより、こたつ１を組み上げた状態で敷物２上に設置することができる。
【００３６】
なお、分断線２５は、敷物２の上面から下面にわたって形成しても構わないし、敷物２が層構造で構成されている場合には、上側の一部の層に形成しても構わない。後者の場合には、脚支持部１５が敷物２の内部に配置されるため、敷物２にこたつ１からの荷重がかかり、こたつ１に対して敷物２が回転しにくくなる。また、脚支持部１５が直接床面に接しないため、床面を傷つけることを防止することもできる。
【００３７】
また、他の実施例では、分断線２５を周辺まで形成することができる。この場合、分断線２５を敷物２の上面から下面にわたって形成し、敷物２を複数のパーツによって構成することもできるし、敷物２が層構造の場合、上側の一部の層にのみ分断線２５を形成しても構わないし、下側の一部の層にのみ分断線２５を形成しても構わない。
【００３８】
なお、上述の実施形態において、第１材および第２材なる語は、単に密度の異なる材料を示すものに過ぎず、物質の違いを表すものではない。また、密度とは、物質自体の密度、または、敷物２に使用される形態に形成された状態での密度をいう。したがって、第１材および第２材として密度の異なる同物質、例えば、低密度ポリエステル高密度ポリエステルを使用することも可能である。さらに、密度を比重と読み替えても構わない。
【００３９】
また、「材を含んで構成される」とは、全体がその材で構成されることおよび、部分的にその材を含むことを表すものである。また、部分的に材を含むとは、複数の材が層構造を形成している場合や一の材の中に他の材が含まれている場合等をいう。
【００４０】
上述の実施例のうち、積層構造をしたものでは、第１積層部２２を綿等の軟質材料で構成すると、座り心地を良くすることができるため、好ましい。一方、第２積層部２３を断熱性を有する材料を含んで構成すると、設置面の温度が着座している人に伝わりにくくなるため、好ましい。さらに、周縁部２ｂにおいて、第１積層部２２よりも第２積層部２３を重く構成することにより、上述した力学モデルの重心をより下げることができ、より安定性を向上させることができる。
【００４１】
〔別実施形態〕
（１）上述の実施形態では、周縁部２ｂの面積は中央部２ａの面積よりも大きく構成したが、周縁部２ｂの面積が中央部２ａの面積よりも小さく構成しても構わない。
【００４２】
（２）上述の実施形態では、周縁部２ｂを周辺まで形成したが、周縁部２ｂの外方から周辺までに周縁部２ｂよりも軽く構成された領域を設けても構わない。
【００４３】
（３）上述の実施形態では、周縁部２ｂは中央部２ａを囲むように全周にわたって連続的に形成されているが、離散的に形成しても構わない。
【産業上の利用可能性】
【００４４】
本発明は、一本脚こたつをはじめとする一本脚テーブル用の敷物に利用することができる。
【符号の説明】
【００４５】
１：こたつ（テーブル）
１１：天板
１２：天板載置部
１４：脚
１４ａ：接続孔
１５：脚支持部
１５ａ：接続ピン（接続部材）
２：敷物
２ａ：中央部
２ｂ：周縁部
２１：孔
２２：第１積層部
２３：第２積層部
２４：第３積層部
２５：分断線
【図１】
2017093812.tif 000003
【図２】
2017093812.tif 000004
【図３】
2017093812.tif 000005
【図４】
2017093812.tif 000006
【図５】
2017093812.tif 000007
【図６】
2017093812.tif 000008
【図７】
2017093812.tif 000009
【図８】
2017093812.tif 000010
【図９】
2017093812.tif 000011
【図１０】
2017093812.tif 000012